(57)【要約】    【課題】  全体が小型・軽量でかつ広画角でありながら高い光学性能を有するズームレンズを得ること。    【解決手段】  物体側から像側へ順に配置された、負の屈折力の第１レンズ群、正の屈折力の第２レンズ群より構成され、ズーミングに際して隣り合うレンズ群の間隔が変化するズームレンズにおいて、第１レンズ群は、樹脂材料よりなるレンズＧａと、レンズＧａよりも物体側に配置された負レンズＧｎを含む３枚以上のレンズを有し、負レンズＧｎの材料の内部透過率が５％となるときの着色度をλ５とする。【選択図】    図１
2017219793.tif 000002
【特許請求の範囲】
【請求項１】
物体側から像側へ順に配置された、負の屈折力の第１レンズ群、正の屈折力の第２レンズ群より構成され、ズーミングに際して隣り合うレンズ群の間隔が変化するズームレンズにおいて、
前記第１レンズ群は、樹脂材料よりなるレンズＧａと、該レンズＧａよりも物体側に配置された負レンズＧｎを含む３枚以上のレンズを有し、
該負レンズＧｎの材料の内部透過率が５％となるときの着色度をλ５とするとき、
３４５≦λ５≦４００
なる条件式を満足することを特徴とするズームレンズ。
【請求項２】
前記負レンズＧｎの材料のアッベ数をνｄｎとするとき、
１６．０＜νｄｎ＜４６．０
なる条件式を満足することを特徴とする請求項１に記載のズームレンズ。
【請求項３】
前記負レンズＧｎの焦点距離をｆｎ、広角端における全系の焦点距離をｆｗとするとき、
１．５０≦｜ｆｎ／ｆｗ｜≦２．８０
なる条件式を満足することを特徴とする請求項１又は２に記載のズームレンズ。
【請求項４】
前記負レンズＧｎの材料の内部透過率が７０％となるときの着色度をλ７０とするとき、
３６０≦λ７０≦４８０
なる条件式を満足することを特徴とする請求項１乃至３のいずれか１項に記載のズームレンズ。
【請求項５】
前記負レンズＧｎの材料のアッベ数をνｄｎ、部分分散比をθｇＦとするとき、
０．００５＜θｇＦ−０．６４３８＋０．００１６８２×νｄｎ＜０．０３５
なる条件式を満足することを特徴とする請求項１乃至４のいずれか１項に記載のズームレンズ。
【請求項６】
前記第１レンズ群は、物体側から像側へ順に配置された、負レンズＧ１、負レンズＧ２、正レンズＧ３より構成され、前記負レンズＧｎは前記負レンズＧ１であり、前記レンズＧａは前記負レンズＧ２または前記正レンズＧ３であることを特徴とする請求項１乃至５のいずれか１項に記載のズームレンズ。
【請求項７】
前記第１レンズ群は、物体側から像側へ順に配置された、ガラス材料よりなるメニスカス形状の負レンズＧ１、樹脂材料よりなる負レンズＧ２、樹脂材料よりなる正レンズＧ３より構成され、前記負レンズＧｎは前記負レンズＧ１であり、前記レンズＧａは前記負レンズＧ２または前記正レンズＧ３であることを特徴とする請求項１乃至６のいずれか１項に記載のズームレンズ。
【請求項８】
前記第２レンズ群は、物体側から像側へ順に配置された、正レンズ、正レンズ、負レンズ、正レンズより構成されることを特徴とする請求項１乃至７のいずれか１項に記載のズームレンズ。
【請求項９】
請求項１乃至８のいずれか１項に記載のズームレンズと、該ズームレンズによって形成される像を受光する固体撮像素子を有することを特徴とする撮像装置。
【発明の詳細な説明】
【技術分野】
【０００１】
本発明は、ズームレンズ及びそれを有する撮像装置に関し、デジタルカメラ、ビデオカメラ、ＴＶカメラ、監視用カメラ、銀塩フィルム用カメラ等の撮像装置に用いられる撮像光学系に好適なものである。
【背景技術】
【０００２】
撮像装置（カメラ）に用いる撮像光学系には広い撮影画角を包含し、レンズ全長（第１レンズ面から像面までの長さ）が短く、全体が小型で軽量のズームレンズであることが要望されている。従来、全系が小型で広画角のズームレンズとして、負の屈折力のレンズ群が先行する（最も物体側に位置する）ネガティブリード型のズームレンズが知られている。ネガティブリード型のズームレンズとして、物体側より像側へ順に、負の屈折力の第１レンズ群、正の屈折力の第２レンズ群よりなり、双方のレンズ群間隔を変えてズーミングを行う２群ズームレンズが知られている（特許文献１）。
【０００３】
一般にネガティブリード型のズームレンズは、広角端において第１レンズ群への入射高の高さが高く、第１レンズ群の外径が大きくなり、また第１レンズ群の重量が増大する傾向がある。ネガティブリード型の２群ズームレンズにおいて、第１レンズ群及び第２レンズ群を構成するレンズの一部にガラス材料より低比重の樹脂材料よりなるレンズを用いて全系の小型化及び軽量化を図ったズームレンズが知られている（特許文献２）。
【先行技術文献】
【特許文献】
【０００４】
【特許文献１】特開２０１４−００６２７５号公報
【特許文献２】特開２００９−２８２４６５号公報
【発明の概要】
【発明が解決しようとする課題】
【０００５】
全系の軽量化を図るために樹脂材料（例えばプラスチック材料）よりなるレンズを用いたズームレンズでは、樹脂材料よりなるレンズが紫外線を吸収すると樹脂材料の光学特性が変化し、それに応じて樹脂材料よりなるレンズの光学特性が変化する。この結果、ズームレンズ全体の光学性能が大きく低下する原因となる。このため、樹脂材料よりなるレンズを用い、全体の軽量化を図りつつ、諸収差を良好に補正し、全ズーム範囲にわたり高い光学性能を得るには各レンズ群のレンズ構成を適切に設定することが重要になってくる。
【０００６】
特に最も物体側の第１レンズ群は広角端の軸外光束で決まる外径となるため第１レンズ群が大型化し、かつ重量が重くなり、また第１レンズ群には紫外線が多く入射する傾向がある。このためネガティブリード型のズームレンズにおいて、樹脂材料よりなるレンズを用いて全系の軽量化を図りつつ、紫外線による吸収の影響を少なくしつつ、高い光学性能を得るには第１レンズ群のレンズ構成を適切に設定することが特に重要になってくる。
【０００７】
本発明は、全体が小型・軽量でかつ広画角でありながら高い光学性能を有するズームレンズの提供を目的とする。
【課題を解決するための手段】
【０００８】
本発明のズームレンズは、物体側から像側へ順に配置された、負の屈折力の第１レンズ群、正の屈折力の第２レンズ群より構成され、ズーミングに際して隣り合うレンズ群の間隔が変化するズームレンズにおいて、
前記第１レンズ群は、樹脂材料よりなるレンズＧａと、該レンズＧａよりも物体側に配置された負レンズＧｎを含む３枚以上のレンズを有し、
該負レンズＧｎの材料の内部透過率が５％となるときの着色度をλ５とするとき、
３４５≦λ５≦４００
なる条件式を満足することを特徴としている。
【発明の効果】
【０００９】
本発明によれば、全体が小型・軽量でかつ広画角でありながら高い光学性能を有するズームレンズが得られる。
【図面の簡単な説明】
【００１０】
【図１】（Ａ）、（Ｂ）  本発明の実施例１の広角端と望遠端におけるレンズ断面図
【図２】（Ａ）、（Ｂ）  本発明の実施例１の広角端と望遠端における縦収差図
【図３】（Ａ）、（Ｂ）  本発明の実施例２の広角端と望遠端におけるレンズ断面図
【図４】（Ａ）、（Ｂ）  本発明の実施例２の広角端と望遠端における縦収差図
【図５】（Ａ）、（Ｂ）  本発明の実施例３の広角端と望遠端におけるレンズ断面図
【図６】（Ａ）、（Ｂ）  本発明の実施例３の広角端と望遠端における縦収差図
【図７】代表的なレンズ材料と厚さ１０ｍｍでの内部透過率との関係を表した図
【図８】代表的なプラスチック材料の基本構造を表した図
【図９】代表的なプラスチック材料のＣ−Ｃ結合の解離感度波長（ｎｍ）
【図１０】本発明の撮像装置の要部概略図
【発明を実施するための形態】
【００１１】
以下に本発明の好ましい実施の形態を添付の図面に基づいて詳細に説明する。本発明のズームレンズは、物体側から像側へ順に配置された、負の屈折力の第１レンズ群、正の屈折力の第２レンズ群より構成され、ズーミングに際して隣り合うレンズ群の間隔が変化するズームレンズである。
【００１２】
図１（Ａ）、（Ｂ）は本発明のズームレンズの実施例１の広角端（短焦点距離端）と望遠端（長焦点距離端）におけるレンズ断面図である。図２（Ａ）、（Ｂ）は実施例１のズームレンズの無限遠物体にフォーカスを合わせたとき（合焦したとき）の広角端と望遠端における縦収差図である。実施例１はズーム比２．８７、Ｆナンバー３．６３〜６．４８のズームレンズである。
【００１３】
図３（Ａ）、（Ｂ）は本発明のズームレンズの実施例２の広角端と望遠端におけるレンズ断面図である。図４（Ａ）、（Ｂ）は実施例２のズームレンズにおいて無限遠物体にフォーカスを合わせたときの広角端と望遠端における縦収差図である。実施例２はズーム比２．８７、Ｆナンバー３．６３〜６．４８のズームレンズである。
【００１４】
図５（Ａ）、（Ｂ）は本発明のズームレンズの実施例３の広角端と望遠端におけるレンズ断面図である。図６（Ａ）、（Ｂ）は実施例３のズームレンズにおいて無限遠物体にフォーカスを合わせたときの広角端と望遠端における縦収差図である。実施例３はズーム比２．８７、Ｆナンバー３．６３〜６．４８のズームレンズである。図７は厚さ１０ｍｍのレンズ材料の内部透過率の説明図である。図８は代表的な樹脂材料の基本的化学式構造の説明図である。図９は代表的な樹脂材料のＣ−Ｃ結合の解離感度波長（ｎｍ）の説明図である。図１０は本発明の撮像装置の要部概略図である。
【００１５】
各実施例のズームレンズはビデオカメラやデジタルカメラ、そして銀塩フィルムカメラ等の撮像装置に用いられる撮像光学系（光学系）である。レンズ断面図において、左方が物体側（前方）で、右方が像側（後方）である。尚、各実施例のズームレンズをプロジェクターに用いても良く、このときは左方がスクリーン側、右方が被投射画像側となる。レンズ断面図において、Ｌ０はズームレンズである。ｉは物体側からのレンズ群の順番を示し、Ｌｉは第ｉレンズ群である。
【００１６】
ＳＰは開口絞り（開放Ｆナンバー絞り）である。ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する。矢印は広角端から望遠端へのズーミングに際しての移動方向を示している。フォーカスに関する矢印は無限遠から近距離へのフォーカシングの際の移動方向を示している。
【００１７】
実施例１において第１レンズ群Ｌ１は、物体側から像側へ順に配置された、物体側に凸面を向けたメニスカス形状の負レンズＧ１、物体側に凸面を向けたメニスカス形状の負レンズＧ２、物体側に凸面を向けたメニスカス形状の正レンズＧ３から構成されている。負レンズＧ２の物体側と像面側及び正レンズＧ３の物体側と像面側は共に非球面形状である。負レンズＧ２と正レンズＧ３は、いずれも樹脂材料で構成されている。
【００１８】
第２レンズ群Ｌ２は、物体側から像側へ順に配置された両凸形状の正レンズＧ４、開口絞りＳＰ、両凸形状の正レンズＧ５、負レンズＧ６と像側に凸面を向けたメニスカス形状の正レンズＧ７から構成されている。また、無限から至近への合焦の際に第１レンズ群Ｌ１が光軸上を物体側へ動く。また、広角端から望遠端へのズーミングに際して、第１レンズ群Ｌ１は像側へ凸状の軌跡を描いて移動し、第２レンズ群Ｌ２は物体側へ移動する。
【００１９】
実施例２のズームレンズのレンズ構成は実施例１と同じである。実施例３のズームレンズは実施例１に比べて第２レンズ群Ｌ２のレンズ構成が異なるだけであり、その他の構成は同じである。
【００２０】
次にプラスチックが紫外線を吸収したときの特性変化について説明する。光学レンズを構成する材料としてのプラスチックには、ＰＣ（ポリカーボネート）、ＰＭＭＡ（アクリル）、ＰＥＴ（ポリエステル）等が一般的に用いられている。これらのプラスチックの基本構造の化学式を図８（Ａ）、（Ｂ）、（Ｃ）に示す。Ｇｒｏｔｔｈｕｓ−Ｄｒａｐｐｅｒの法則によれば、光エネルギーを物質が吸収することで光化学反応を起こす。プラスチックが光エネルギーを吸収したときの光化学反応の詳細を以下に示す。
【００２１】
【数１】
2017219793.tif 000003
【００２２】
上記のようにポリマーが紫外線を吸収したときには、紫外線による純粋な分解反応だけではなく、空気中の酸素が関与している。つまり、紫外線によって遊離ラジカルが生成されると、酸素による自動酸化反応が進行し特性が変化する。
【００２３】
物質には固有の吸収波長領域があり、その吸収エネルギーがその物質分子に作用して変化を起こす。プラスチックのＣ−Ｃ結合の解離感度波長を図９に示す。図９より代表的なプラスチックでは波長２８０ｎｍから波長３５０ｎｍの波長帯で吸収を起こすことが分かる。逆にいうと、波長２８０ｎｍから波長３５０ｎｍの波長帯の吸収を抑えられればプラスチックの特性変化を軽減することが出来る。
【００２４】
本発明は、プラスチックよりなるレンズの物体側に図７に示すような波長２８０ｎｍから波長３５０ｎｍの波長帯での透過率が極めて低い材料よりなる光学部材（レンズ）を配置する。これにより屋外等で使用したときの紫外線の吸収によるプラスチックの特性変化を抑えている。
【００２５】
各実施例のズームレンズにおいて、第１レンズ群Ｌ１は３枚以上のレンズから構成されている。第１レンズ群Ｌ１は樹脂材料よりなるレンズＧａと、レンズＧａよりも物体側に負レンズＧｎを有している。負レンズＧｎの材料の内部透過率が５％になるときの着色度をλ５とするとき、
３４５≦λ５≦４００    ・・・（１）
なる条件式を満足する。
【００２６】
次に前述の条件式について説明する。着色度λｉとは厚さ１０ｍｍのレンズ材料において、内部透過率がｉ％となるときの波長に対応するパラメータである。条件式（１）は、ｉ＝５のときの着色度を示している。条件式（１）の上限を超えると短波長側の透過率が低くなりすぎるためにカラーバランス（ＣＣＩ等）が低下してくる。また、条件式（１）の下限を超えると短波長側の透過率が高くなりすぎてプラスチックの特性変化が大きくなる。好ましくは条件式（１）の数値範囲を次の如く設定するのが良い。
【００２７】
３５０≦λ５≦３８０    ・・・（１ａ）
各実施例において好ましくは次の条件式のうち１つ以上を満足するのが良い。負レンズＧｎの材料のアッベ数をνｄｎ、部分分散比をθｇＦとする。負レンズＧｎの焦点距離をｆｎ、広角端における全系の焦点距離をｆｗとする。負レンズＧｎの材料の内部透過率が７０％となるときの着色度をλ７０とする。このとき、次の条件式のうち１つ以上を満足するのが良い。
【００２８】
１６．０＜νｄｎ＜４６．０          ・・・（２）
１．５０≦｜ｆｎ／ｆｗ｜≦２．８０  ・・・（３）
３６０≦λ７０≦４８０              ・・・（４）
０．００５＜θｇＦ−０．６４３８＋０．００１６８２×νｄｎ＜０．０３５
・・・（５）
【００２９】
条件式（２）は、第１レンズ群Ｌ１内に含まれる条件式（１）を満たす負レンズＧｎの材料のアッベ数を規定する。条件式（２）の上限を超えると短波長側の透過率が高くなりプラスチックが紫外線を吸収したときの特性変化が大きくなる。条件式（２）の下限を超えると１次の色収差の補正が困難となる。好ましくは条件式（２）の数値範囲を次の如く設定することが好ましい。
２０．０＜νｄｎ＜３５．０          ・・・（２ａ）
【００３０】
条件式（３）は、第１レンズ群Ｌ１内に含まれる条件式（１）を満たす負レンズＧｎの焦点距離を規定する。条件式（３）の上限を超えて負レンズＧｎのパワーが弱くなると（負の屈折力の絶対値が小さくなると）歪曲収差と像面湾曲の補正が困難になる。条件式（３）の下限を超えて負レンズＧｎのパワーが強くなりすぎると（負の屈折力の絶対値が大きくなりすぎると）歪曲収差と像面湾曲をバランス良く補正するのが困難になり、色収差が大きく発生してくる。好ましくは条件式（３）の数値範囲を次の如く設定するのが良い。
１．８０≦｜ｆｎ／ｆｗ｜≦２．６５  ・・・（３ａ）
【００３１】
条件式（４）は、第１レンズ群Ｌ１内に含まれるプラスチック材料よりなるレンズよりも物体側に位置する負レンズＧｎの材料の着色度λｉを規定する。ここで着色度λｉにおける内部透過率ｉ％となる時のｉは、ｉ＝７０である。条件式（４）の上限を超えると短波長側の透過率が少なすぎるためにカラーバランス（ＣＣＩ等）が低下してくる。また、条件式（４）の下限を超えると短波長側の透過率が多すぎてプラスチックの特性変化が大きくなる。好ましくは条件式（４）の数値範囲を次の如く設定するのが良い。
３９０≦λ７０≦４５０      （４ａ）
【００３２】
条件式（５）は、第１レンズ群Ｌ１内に含まれる条件式（１）を満たす負レンズＧｎの材料の異常分散性を規定する。条件式（５）の上限を超えると短波長側の屈折力が高すぎてしまい倍率色収差の補正が困難になる。条件式（５）の下限を超えると異常分散性が少なく倍率色収差の補正が困難となる。好ましくは条件式（５）の数値範囲を次の如く設定するのが良い。
０．００７＜θｇＦ−０．６４３８＋０．００１６８２×νｄｎ＜０．０２０
・・・（５ａ）
【００３３】
各実施例において、第１レンズ群Ｌ１は、物体側から像側へ順に配置された、負レンズＧ１、負レンズＧ２、正レンズＧ３より構成され、負レンズＧｎは負レンズＧ１であり、レンズＧａは負レンズＧ２又は正レンズＧ３である。
【００３４】
特に各実施例において第１レンズ群Ｌ１は、物体側から像側へ順に配置された、ガラス材料よりなるメニスカス形状の負レンズＧ１、樹脂材料よりなる負レンズＧ２、樹脂材料よりなる正レンズＧ３より構成されている。そして負レンズＧｎは負レンズＧ１であり、レンズＧａは負レンズＧ２又は正レンズＧ３である。また、第２レンズ群Ｌ２は、物体側から像側へ順に配置された、正レンズ、正レンズ、負レンズ、正レンズより構成される。このような構成により、全体が小型・軽量でかつ広画角でありながら高い光学性能を有するズームレンズを得ている。
【００３５】
図１０は一眼レフカメラの要部概略図である。図１０において、１０は実施例１乃至３のいずれかの実施例のズームレンズ１を有する撮像光学系である。ズームレンズ１は保持部材である鏡筒２に保持されている。２０はカメラ本体である。カメラ本体２０はクイックリターンミラー３、焦点板４、ペンタダハプリズム５、接眼レンズ６等によって構成されている。
【００３６】
クイックリターンミラー３は、撮像光学系１０からの光束を上方に反射する。焦点板４は撮像光学系１０の像形成位置に配置されている。ペンタダハプリズム５は焦点板４に形成された逆像を正立像に変換する。観察者は、その正立像を接眼レンズ６を介して観察する。７は感光面であり、像を受光するＣＣＤセンサやＣＭＯＳセンサ等の固体撮像素子（光電変換素子）や銀塩フィルムが配置される。撮影時にはクイックリターンミラー３が光路から退避して、感光面７上に撮像光学系１０によって像側形成される。
【００３７】
このように本発明のズームレンズを一眼レフカメラ交換レンズ等の撮像装置に適用することにより、高い光学性能を有する撮像装置を実現している。この他本発明のズームレンズはクイックリターンミラーのないミラーレスの一眼レフカメラにも同様に適用することができる。この他、本発明のズームレンズは、デジタルカメラ・ビデオカメラ・銀塩フィルム用カメラ等の他に望遠鏡、双眼鏡、複写機、プロジェクター等の光学機器にも適用できる。
【００３８】
以上、本発明の好ましい実施形態について説明したが、本発明はこれらの実施形態に限定されず、その要旨の範囲内で種々の変形及び変更が可能である。
【００３９】
以下、実施例１乃至４に対応する具体的な数値データを示す。ｉは物体から数えた順序を示す。面番号ｉは物体側から順に数えている。ｒｉは曲率半径、ｄｉは第ｉ番目と第ｉ＋１番目の面間隔である。ｎｄｉとνｄｉはそれぞれｄ線に対する第ｉ面と第（ｉ＋１）面との間の媒質の屈折率、アッベ数を表す。またＢＦはバックフォーカスである。レンズ全長は第１レンズ面から像面までの距離を表す。
【００４０】
また、非球面は面番号の後に、＊の符号を付加して表している。非球面形状は、Ｘを光軸方向の面頂点からの変位量、ｈを光軸と垂直な方向の光軸からの高さ、Ｒを近軸曲率半径、ｋを円錐定数、Ａ４、Ａ６、Ａ８、Ａ１０、Ａ１２・・・を各次数の非球面係数とするとき、
ｘ＝（ｈ2／Ｒ）／［１＋｛１−（１＋ｋ）（ｈ／Ｒ）2｝1/2 ＋Ａ４×ｈ4＋Ａ６×ｈ6＋Ａ８×ｈ8＋Ａ１０×ｈ10＋Ａ１２×ｈ12・・・
で表す。なお、各非球面係数における「ｅ±ＸＸ」は「×１０±ＸＸ」を意味している。前述の各条件式に関係した数値を表１に示す。  
【００４１】
（数値データ１）
単位 mm 
面データ
面番号       r        d      nd         νd       有効径    θｇＦ
1         28.929    1.30   1.67270    32.1       32.63   0.5988
2         12.803   10.97                         24.46 
3*     -4637.223    2.00   1.52996    55.8       24.59 
4*        14.252    1.49                         22.84 
5*        15.318    4.05   1.60700    27.0       22.76 
6*        75.904  (可変)                         22.17 
7*        16.405    3.37   1.52996    55.8       13.69 
8*       -49.187    1.00                         13.38 
9(絞り)    ∞       1.00                         13.11 
10         65.508    4.62   1.62299    58.2       12.82 
11        -18.906    0.56                         12.13 
12        -33.162    1.00   1.90366    31.3       11.16 
13         17.712    1.44                         10.58 
14        -26.888    1.36   1.62299    58.2       10.59 
15        -14.951  (可変)                         10.76 
像面        ∞   
【００４２】
非球面データ
第3面
K = 0.00000e+000  A 4= 2.84652e-005  A 6= 6.19628e-007  A 8=-5.43901e-009  A10= 1.01317e-011  A12= 4.39194e-014  
第4面
K = 2.56734e-001  A 4=-1.91600e-004  A 6= 2.76886e-006  A 8=-2.87085e-008  A10= 1.54243e-010  A12=-5.25335e-013  
第5面
K = 0.00000e+000  A 4=-1.73536e-004  A 6= 2.36693e-006  A 8=-2.96481e-008  A10= 2.32646e-010  A12=-7.10018e-013  
第6面
K = 0.00000e+000  A 4=-4.47204e-005  A 6= 1.07045e-006  A 8=-2.00479e-008  A10= 1.88126e-010  A12=-5.41443e-013  
第7面
K = 0.00000e+000  A 4=-1.06957e-005  A 6= 1.11795e-007  A 8= 7.12726e-010  A10= 6.65572e-011  A12=-1.51373e-012  
第8面
K = 0.00000e+000  A 4= 9.92314e-005  A 6=-4.26725e-007  A 8= 2.82030e-008  A10=-4.12438e-010  A12= 1.72328e-012  
【００４３】
各種データ
ズーム比     2.87 
広角     中間     望遠
焦点距離      18.61    36.00    53.35  
Fナンバー      3.63     5.05     6.48  
半画角（度）  36.28    20.78    14.36  
像高          13.66    13.66    13.66  
レンズ全長   103.41    96.69   105.20  
BF            35.20    51.89    68.55  
d 6           34.06    10.65     2.50  
d15           35.20    51.89    68.55  
入射瞳位置    21.35    16.97    14.53  
射出瞳位置    -7.32    -7.32    -7.32  
前側主点位置  31.81    31.08    30.36  
後側主点位置  16.59    15.89    15.20  
【００４４】
ズームレンズ群データ
群  始面    焦点距離  レンズ構成長  前側主点位置  後側主点位置
1    1     -30.65        19.81         1.94        -15.26 
2    7      29.42        14.35        -2.10        -12.08 
単レンズデータ
レンズ  始面  焦点距離
1       1    -35.29 
2       3    -26.81 
3       5     30.84 
4       7     23.63 
5      10     24.06 
6      12    -12.66 
7      14     51.79 
【００４５】
（数値データ２）
単位 mm 
面データ
面番号       r        d      nd         νd       有効径  θｇＦ
1         21.206    1.30   1.84666    23.8       32.80   0.6205
2         13.153   11.93                         25.59 
3*      -369.049    2.00   1.52996    55.8       25.72 
4*        13.660    2.25                         23.35 
5*        16.340    4.14   1.63500    23.9       23.33 
6*        64.900  (可変)                         22.72 
7*        14.061    4.29   1.52996    55.8       13.78 
8*       -27.129    1.00                         13.23 
9(絞り)    ∞       1.00                         12.52 
10        -37.603    3.76   1.62299    58.2       12.30 
11        -14.938    0.98                         11.90 
12        -16.320    1.00   1.90366    31.3       10.70 
13         25.572    1.09                         10.52 
14        -31.898    1.92   1.62299    58.2       10.55 
15        -12.247  (可変)                         10.85 
像面        ∞   
【００４６】
非球面データ
第3面
K = 0.00000e+000  A 4= 4.00045e-005  A 6= 5.89100e-007  A 8=-5.17653e-009  A10= 7.49664e-012  A12= 4.24865e-014  
第4面
K = 1.25674e-001  A 4=-1.43704e-004  A 6= 2.67386e-006  A 8=-2.93753e-008  A10= 1.53701e-010  A12=-4.89098e-013  
第5面
K = 0.00000e+000  A 4=-1.34590e-004  A 6= 2.22037e-006  A 8=-2.97498e-008  A10= 2.35443e-010  A12=-7.09655e-013  
第6面
K = 0.00000e+000  A 4=-4.81915e-005  A 6= 1.15395e-006  A 8=-2.02505e-008  A10= 1.81595e-010  A12=-5.27537e-013  
第7面
K = 0.00000e+000  A 4=-8.26802e-006  A 6= 4.56039e-008  A 8=-6.58880e-009  A10= 3.73785e-010  A12=-3.41806e-012  
第8面
K = 0.00000e+000  A 4= 1.24514e-004  A 6=-8.47420e-007  A 8= 3.48611e-008  A10=-3.36427e-010  A12= 1.44997e-012  
【００４７】
各種データ
ズーム比     2.87 
広角     中間     望遠
焦点距離      18.61    36.00    53.35  
Fナンバー      3.63     5.04     6.48  
半画角（度）  36.28    20.78    14.36  
像高          13.66    13.66    13.66  
レンズ全長   106.74    99.66   108.13  
BF            35.20    52.04    68.84  
d 6           34.88    10.96     2.64  
d15           35.20    52.04    68.84  
入射瞳位置    23.44    19.08    16.63  
射出瞳位置    -7.84    -7.84    -7.84  
前側主点位置  34.00    33.43    32.86  
後側主点位置  16.59    16.04    15.49  
【００４８】
ズームレンズ群データ
群  始面    焦点距離  レンズ構成長  前側主点位置  後側主点位置
1    1     -30.85        21.62         3.77        -14.97 
2    7      29.87        15.04        -1.31        -12.68 
単レンズデータ
レンズ  始面  焦点距離
1       1    -44.18 
2       3    -24.81 
3       5     33.29 
4       7     18.13 
5      10     37.40 
6      12    -10.90 
7      14     30.76 
【００４９】
（数値データ３）
単位 mm 
面データ
面番号       r        d      nd         νd       有効径  θｇＦ
1         17.618    1.30   2.00069    25.5       30.07   0.6135
2         12.432   10.38                         24.25 
3*      -252.557    2.00   1.52996    55.8       23.97 
4*        13.698    3.31                         22.32 
5*        17.087    3.45   1.63500    23.9       22.09 
6*        52.735  (可変)                         21.49 
7*        14.780    4.13   1.52996    55.8       13.66 
8*       -27.404    1.00                         13.23 
9(絞り)    ∞       1.00                         12.63 
10        -35.808    3.78   1.62299    58.2       12.46 
11        -15.167    1.24                         12.19 
12        -18.024    1.00   1.90366    31.3       10.81 
13         25.053    1.11                         10.64 
14        -41.381    2.61   1.62299    58.2       10.69 
15        -13.202  (可変)                         11.13 
像面        ∞   
【００５０】
非球面データ
第3面
K = 0.00000e+000  A 4= 3.00398e-005  A 6= 5.65939e-007  A 8=-4.99437e-009  A10= 9.31263e-012  A12= 2.18040e-014  
第4面
K = 1.38720e-001  A 4=-1.54971e-004  A 6= 2.54129e-006  A 8=-2.97981e-008  A10= 1.51609e-010  A12=-4.98688e-013  
第5面
K = 0.00000e+000  A 4=-1.40924e-004  A 6= 2.19054e-006  A 8=-2.97060e-008  A10= 2.35739e-010  A12=-7.23041e-013  
第6面
K = 0.00000e+000  A 4=-6.65659e-005  A 6= 1.29918e-006  A 8=-2.05209e-008  A10= 1.78848e-010  A12=-5.27750e-013  
第7面
K = 0.00000e+000  A 4=-1.07969e-005  A 6= 1.18684e-008  A 8=-7.11756e-009  A10= 3.83788e-010  A12=-4.06628e-012  
第8面
K = 0.00000e+000  A 4= 1.18442e-004  A 6=-7.55322e-007  A 8= 3.30656e-008  A10=-3.63716e-010  A12= 1.28112e-012  
【００５１】
各種データ
ズーム比     2.87 
広角     中間     望遠
焦点距離      18.59    36.00    53.35  
Fナンバー      3.63     5.05     6.48  
半画角（度）  36.32    20.78    14.36  
像高          13.66    13.66    13.66  
レンズ全長   104.72    99.82   109.53  
BF            35.64    53.21    70.72  
d 6           32.77    10.30     2.50  
d15           35.64    53.21    70.72  
入射瞳位置    22.80    18.65    16.34  
射出瞳位置    -8.94    -8.94    -8.94  
前側主点位置  33.64    33.80    33.96  
後側主点位置  17.05    17.21    17.37  
【００５２】
ズームレンズ群データ
群  始面    焦点距離  レンズ構成長  前側主点位置  後側主点位置
1    1     -29.25        20.45         4.22        -13.89 
2    7      29.52        15.87         0.06        -12.63 
単レンズデータ
レンズ  始面  焦点距離
1       1    -48.26 
2       3    -24.45 
3       5     38.36 
4       7     18.75 
5      10     39.46 
6      12    -11.47 
7      14     30.05 
【００５３】
【表１】
2017219793.tif 000004
【符号の説明】
【００５４】
Ｌ０  ズームレンズ      Ｌ１  第１レンズ群      Ｌ２  第２レンズ群
ＳＰ  開口絞り          Ｇｎ  負レンズ          Ｇａ  樹脂材料よりなるレンズ
【図１】
2017219793.tif 000005
【図２】
2017219793.tif 000006
【図３】
2017219793.tif 000007
【図４】
2017219793.tif 000008
【図５】
2017219793.tif 000009
【図６】
2017219793.tif 000010
【図７】
2017219793.tif 000011
【図８】
2017219793.tif 000012
【図９】
2017219793.tif 000013
【図１０】
2017219793.tif 000014